(57)【要約】【課題】指先の爪上皮の毛細血管を拡大し撮影した毛細血管画像に関し、乳頭下血管叢の有無を判別、並びに、毛細血管画像における体液の濁り度合いを判定できる観測方法を提供する。【解決手段】指先の爪上皮の毛細血管を拡大し撮影した毛細血管画像の観測方法において、毛細血管画像における指の長手方向（縦方向）を横切る横方向に走る乳頭下血管叢の有無について判別する。乳頭下血管叢の有無だけではなく、毛細血管画像における体液の濁り度合いを更に判定することが好ましい。また、毛細血管画像における指の長手方向に走る血管の先端部の曲がり度合いを更に判定することが好ましい。【選択図】図８
2017038889.tif 000002
【特許請求の範囲】
【請求項１】
指先の爪上皮の毛細血管を拡大し撮影した毛細血管画像の観測方法において、
前記毛細血管画像における指の長手方向（縦方向）を横切る横方向に走る乳頭下血管叢の有無について判別することを特徴とする指先血管観測方法。
【請求項２】
前記毛細血管画像における体液の濁り度合いを更に判定することを特徴とする請求項１に記載の指先血管観測方法。
【請求項３】
前記毛細血管画像における指の長手方向に走る血管の先端部の曲がり度合いを更に判定することを特徴とする請求項１又は２に記載の指先血管観測方法。
【請求項４】
指先の爪上皮の血管を拡大し撮影した毛細血管画像の観測装置において、
前記毛細血管画像における指の長手方向（縦方向）を横切る横方向に走る乳頭下血管叢の有無について判別する手段が設けられたことを特徴とする指先血管観測装置。
【請求項５】
前記毛細血管画像における体液の濁り度合いを判定する手段が更に設けられたことを特徴とする請求項４に記載の指先血管観測装置。
【請求項６】
前記毛細血管画像における指の長手方向に走る血管の先端部の曲がり度合いを判定する手段が更に設けられたことを特徴とする請求項４又は５に記載の指先血管観測装置。
【請求項７】
指先の爪上皮の血管を拡大し毛細血管画像を撮影する観測装置とネットワークを介して接続される指先血管観測サーバであって、
前記観測装置から前記毛細血管画像を取得する画像取得手段と、
取得した前記毛細血管画像における指の長手方向（縦方向）を横切る横方向に走る乳頭下血管叢の有無について判別する有無判別手段と、
前記毛細血管画像における体液の濁り度合いを判定する濁り度合い判定手段と、
前記有無判別手段の判別結果と前記濁り度合い判定手段の判定結果に基づいて、健康状態を評価する評価手段と、
前記評価手段の評価結果を指定されたクライアント端末に送信するデータ送信手段、
を備えたことを特徴とする指先血管観測サーバ。
【請求項８】
指先の爪上皮の血管を拡大し毛細血管画像を撮影する観測装置と通信ケーブルを介して接続される指先血管観測コンピュータ、或は、前記観測装置とネットワークを介して接続される指先血管観測サーバコンピュータに搭載されるプログラムであって、
コンピュータを、
前記観測装置から前記毛細血管画像を取得する画像取得手段、
取得した前記毛細血管画像における指の長手方向（縦方向）を横切る横方向に走る乳頭下血管叢の有無について判別する有無判別手段、
前記毛細血管画像における体液の濁り度合いを判定する濁り度合い判定手段、
前記有無判別手段の判別結果と前記濁り度合い判定手段の判定結果に基づいて、健康状態を評価する評価手段、
前記評価手段の評価結果を指定されたコンピュータ端末に送信するデータ送信手段、
として機能させるためのプログラム。
【請求項９】
指先の爪上皮の血管を拡大し毛細血管画像を撮影する観測クライアントとネットワークを介して接続される観測サーバから構成されるシステムであって、
前記観測クライアントは、
指先の爪上皮の血管を拡大し毛細血管画像を撮影する観測手段と、
撮像した前記毛細血管画像を前記観測サーバに送信する画像データ送信手段と、
前記観測サーバから受信した評価データを表示する表示手段、
を備え、
前記観測サーバは、
前記観測クライアントから前記毛細血管画像を取得する画像取得手段と、
取得した前記毛細血管画像における指の長手方向（縦方向）を横切る横方向に走る乳頭下血管叢の有無について判別する有無判別手段と、
前記毛細血管画像における体液の濁り度合いを判定する濁り度合い判定手段と、
前記有無判別手段の判別結果と前記濁り度合い判定手段の判定結果に基づいて、健康状態を評価する評価手段と、
前記評価手段の評価結果を指定された前記観測クライアント端末に送信するデータ送信手段、を備えたことを特徴とする指先血管観測システム。
【発明の詳細な説明】
【技術分野】
【０００１】
本発明は、指先血管画像の評価方法を分類し画像判定方法を行う指先血管観測方法、観測装置、観測サーバ、観測システム及び観測プログラムに関するものである。
【背景技術】
【０００２】
近年、サイレントキラーと呼ばれる動脈硬化をはじめとした血管の病は年々増加傾向にあり、循環器系疾患まで広げると、死亡原因第１位である癌、第２位の心筋梗塞などの心疾患、第３位の脳血管障害は全て循環器系疾患である。毎年９０万人の死亡者数の内、約６０万人がこの３つの生活習慣病で命を落としており、年々増加傾向にある。
このような疾患の予防には、病院で検査を受けるだけではなく、日々の生活の中での健康に対する意識を強く持つ必要があるところ、指先の毛細血管画像を撮影し、健康状態を判定するという方法が、非侵襲で被曝がないことから注目されている。
【０００３】
かかる状況下、従来から、診断情報を簡易に取得することができる診断情報取得システムが知られている（特許文献１を参照）。
これは、毛細血管中を流れる血液に係る診断情報を取得する診断情報取得システムであって、毛細血管が分布する分布部位を撮像する撮像装置と、撮像手段により撮像された毛細血管の撮像画像を解析する解析装置とを備え、解析装置は、撮像画像における１つの毛細血管上の測定部位を少なくとも１つ設定する測定部位設定部と、選択された測定部位における色調を取得する色調取得部と、取得された色調の経時変化に基づいて、診断情報を取得する診断情報取得部を備えるものである。そして、指の爪上皮部分の毛細血管における色調およびその経時変化情報を取得し、得られた情報から、糖尿病、心筋梗塞及び狭心症などの生活習慣病の疾患の発症危険度を診断するものである。
しかしながら、特許文献１に開示された診断情報取得システムは、測定部位における色調の変化を基に血液の流速値を取得するものであるが、毛細血管の形状パターンから被験者の健康状態をデータ化し管理するものではなく、特に、毛細血管画像における指の長手方向（縦方向）を横切る横方向に走る乳頭下血管叢の有無について判別するものではない。
【０００４】
また、指先の毛細血管画像を観測するための装置としては、倍率調整部による倍率の変更を行っても焦点がずれることがなく、簡単にズームアップを行うことができる毛細血管血流観察装置が知られている（特許文献２を参照）。
これは、指先を光で照らす照明部と、指先を拡大して撮影する光学処理撮影部とを少なくとも備え、光学処理撮影部が、鏡筒と、鏡筒の下端に設けられた対物レンズを有する倍率調整部と、鏡筒の上端に設けられたＣＣＤを有する撮影部とで構成されており、撮影部と鏡筒との間に両者の間隔を調節する間隔調節機構が設けられているものである。特許文献２に開示された毛細血管血流観察装置は、間隔調節機構によって倍率変更を行っても焦点がずれることなく簡単にズームアップでき、毛細血管の形状パターンの画像を鮮明に取得できるものであるが、得られた毛細血管画像を解析する機構を持っていない。
【０００５】
図１２は、上記特許文献２の毛細血管血流観察装置の斜視図を示している。装置１は、照明部３０２と光学処理撮影部３０３とを備えている。照明部３０２は指先を光で照らすものである。光学処理撮影部３０３は指先を拡大して撮影するものである。撮影された映像は、ディスプレイ（図示せず）に表示されるようになっている。光学処理撮影部３０３は、基板３４１に立設された垂直ポール３４２に、支持アーム３０５によって、支持されている。照明部３０２は、取付けアーム３０６によって、基板３４１上に、取付けられている。光学処理撮影部３０３は、内部が空洞の鏡筒３３１と、対物レンズ（図示せず）を有する倍率調整部３３２と、ＣＣＤを有する撮影部３３３とで、構成されている。そして、更に、本発明の装置は、光学処理撮影部３０３において、鏡筒３３１と撮影部３３３との間に、両者の間隔を調節する間隔調節機構３０７を備えている。装置を使用する際は、指固定部３０９に被観察者の指先を置いて使用する。
【先行技術文献】
【特許文献】
【０００６】
【特許文献１】特開２００８−３０２１３６号公報
【特許文献２】特開２００５−２６１４９４号公報
【発明の概要】
【発明が解決しようとする課題】
【０００７】
上記内容に鑑みて、本発明は、指先の爪上皮の血管を拡大し撮影した毛細血管画像に関し、乳頭下血管叢の有無を判別、並びに、毛細血管画像における体液の濁り度合いを判定できる観測方法及び装置を提供することを目的とする。
【課題を解決するための手段】
【０００８】
すなわち、上記課題を解決すべく、本発明の指先血管観測方法は、指先の爪上皮の毛細血管を拡大し撮影した毛細血管画像の観測方法において、毛細血管画像における指の長手方向（縦方向）を横切る横方向に走る乳頭下血管叢の有無について判別する。横切る横方向に走る乳頭下血管叢の有無を判別することにより健康状態を評価する。具体的には、横切る横方向に走る乳頭下血管叢が見られる場合は、ストレスや心臓への負担が推察される。ここで、観測に用いる画像は、カラー画像であっても、モノクロ画像であっても構わない。
【０００９】
本発明の指先血管観測方法は、毛細血管画像における体液の濁り度合いを更に判定することが好ましい。体液の濁り度合いを判定することにより、健康状態を評価する。具体的には、横切る横方向に走る乳頭下血管叢が見られる場合は、代謝不良や運動不足が推察される。
【００１０】
本発明の指先血管観測方法は、毛細血管画像における指の長手方向に走る血管の先端部の曲がり度合いを更に判定することが好ましい。血管の先端部の曲がり度合いを判定することにより、健康状態を評価する。具体的には、捩れが有る原因としては、主に生活習慣の乱れが推察される。
【００１１】
本発明の指先血管観測装置は、指先の爪上皮の毛細血管を拡大し撮影した毛細血管画像の観測装置において、毛細血管画像における指の長手方向（縦方向）を横切る横方向に走る乳頭下血管叢の有無について判別するものである。ここで、本発明の指先血管観測装置は、毛細血管画像における体液の濁り度合いを判定する手段を更に設けたことが好ましい。また、本発明の指先血管観測装置は、毛細血管画像における指の長手方向に走る血管の先端部の曲がり度合いを判定する手段を更に設けたことが好ましい。
【００１２】
本発明の指先血管観測サーバは、指先の爪上皮の毛細血管を拡大し毛細血管画像を撮影する観測装置とネットワークを介して接続される指先血管観測サーバであって、観測装置から毛細血管画像を取得する画像取得手段と、取得した毛細血管画像における指の長手方向（縦方向）を横切る横方向に走る乳頭下血管叢の有無について判別する有無判別手段と、毛細血管画像における体液の濁り度合いを判定する濁り度合い判定手段と、有無判別手段の判別結果と濁り度合い判定手段の判定結果に基づいて健康状態を評価する評価手段と、評価手段の評価結果を指定されたクライアント端末に送信するデータ送信手段を備えたものである。
【００１３】
本発明のプログラムは、指先の爪上皮の毛細血管を拡大し毛細血管画像を撮影する観測装置と通信ケーブルを介して接続される指先血管観測コンピュータ、或は、観測装置とネットワークを介して接続される指先血管観測サーバコンピュータに搭載されるプログラムであって、コンピュータを下記１）〜５）として機能させるためのものである。
１）観測装置から毛細血管画像を取得する画像取得手段
２）取得した毛細血管画像における指の長手方向（縦方向）を横切る横方向に走る乳頭下血管叢の有無について判別する有無判別手段
３）毛細血管画像における体液の濁り度合いを判定する濁り度合い判定手段
４）有無判別手段の判別結果と濁り度合い判定手段の判定結果に基づいて、健康状態を評価する評価手段
５）評価手段の評価結果を指定されたクライアント端末に送信するデータ送信手段
【００１４】
本発明のシステムは、指先の爪上皮の血管を拡大し毛細血管画像を撮影する観測クライアントとネットワークを介して接続される観測サーバから構成されるシステムであって、観測クライアントと観測サーバはそれぞれ以下の構成を成す。
観測クライアントは、指先の爪上皮の血管を拡大し毛細血管画像を撮影する観測手段と、撮像した毛細血管画像を観測サーバに送信する画像データ送信手段と、観測サーバから受信した評価データを表示する表示手段を備える。
一方、観測サーバは、観測クライアントから毛細血管画像を取得する画像取得手段と、取得した毛細血管画像における指の長手方向（縦方向）を横切る横方向に走る乳頭下血管叢の有無について判別する有無判別手段と、毛細血管画像における体液の濁り度合いを判定する濁り度合い判定手段と、有無判別手段の判別結果と前記濁り度合い判定手段の判定結果に基づいて、健康状態を評価する評価手段と、評価手段の評価結果を指定された前記観測クライアント端末に送信するデータ送信手段を備える。
【発明の効果】
【００１５】
本発明によれば、指先の爪上皮の毛細血管を拡大し撮影した毛細血管画像に関し、指の長手方向（縦方向）を横切る横方向に走る乳頭下血管叢の有無を判別することにより、健康状態の評価が行えるといった効果がある。
【図面の簡単な説明】
【００１６】
【図１】実施例１の指先血管観測を行う左手薬指の指先部分の模式図
【図２】実施例１の指先血管観測装置の使用イメージ図
【図３】正常な状態の指先血管画像
【図４】実施例１において指先血管観測装置により撮影された画像を示し、形状につき、指の長手方向（縦方向）を横切る横方向に走る乳頭下血管叢が有る場合を示している。
【図５】実施例１において指先血管観測装置により撮影された画像を示し、形状につき、体液の濁りが有る場合を示している。
【図６】実施例１において指先血管観測装置により撮影された画像を示し、形状につき、指の長手方向に走る血管の先端部に捩れが有る場合を示している。
【図７】実施例２の指先血管観測システムのシステム構成図
【図８】実施例２の指先血管観測システムの処理フロー図
【図９】実施例２の観測サーバの機能ブロック図
【図１０】実施例１のコンピュータと指先血管観測装置本体のハードウェア構成図
【図１１】実施例２の観測クライアントと観測サーバのハードウェア構成図
【図１２】特許文献２の毛細血管血流観察装置の斜視図
【発明を実施するための最良の形態】
【００１７】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００１８】
図１は、指先血管観測を行う左手薬指の指先部分の模式図を示している。図１に示されるように、指先血管観測においては、左手薬指４の爪上皮８、具体的には爪と皮膚の境より少し下の位置を観測する。指先血管観測は基本的に１０指全てについて観測は可能であるが、左手薬指は血管内皮細胞像のみならず広く基底部にある動静脈網を観測するために最も適しているからである。
図１に観測する血管内皮細胞３のイメージを描いている。毛細血管画像を撮影する際には、爪上皮８に専用の植物油を塗ることにより、鮮明な画像を取得する。
【００１９】
図２は、実施例１の指先血管観測装置の使用イメージ図を示している。図２に示すように、指先血管観測装置１を用いて左手薬指の指先をカメラで観測して、植物油を塗った爪上皮８の拡大画像を取得する。ここで、指先血管観測装置１は、カメラ部５を有する装置本体２、コンピュータ６及びデータ通信ケーブル７から成り、装置本体２とコンピュータ６はデータ通信ケーブル７によって接続されている。被験者はオイルを塗った左手薬指４をカメラ部５の下に挿入し撮影を行う。装置本体２は、カラー画像を撮影することができる装置であり、カメラ部５によって撮影された画像は、データ通信ケーブル７によってコンピュータ６に送られる。
【００２０】
コンピュータ６と指先血管観測装置本体２のハードウェア構成を図１０に示す。コンピュータ６は、ＣＰＵ２４、メモリ２５、ハードディスク２６、キーボード２７、マウス２１、ディスプレイ２９、光学式ドライブ２２及びデータ通信部２８を有している。ＣＰＵ２４は、ハードディスク２６に記録されているオペレーティング・システム（ＯＳ）、クライアントプログラム等その他のアプリケーションに基づいた処理を行う。メモリ２５は、ＣＰＵ２４に対して作業領域を提供する。ハードディスク２６は、オペレーティング・システム（ＯＳ）、クライアントプログラム等その他のアプリケーションを記録保持する。キーボード２７、マウス２１は、外部からの命令を受け付ける。ディスプレイ２９は、ユーザーインタフェース等の画像を表示する。光学式ドライブ２２は、データ通信クライアントプログラムが記録されている光学式メディア２３からアプリケーション処理プログラムを読み取り、また、他の光学式メディアからその他のアプリケーションのプログラムを読み取る等、光学式メディアからのデータの読み取りを行う。装置本体２は、データ通信部２０及びカメラ５を有しており、カメラ５において取得されたデータは、データ通信部２０により、データ通信ケーブル７を介してコンピュータ６へと送信される。データ通信部２８は、データ通信ケーブル７を介して、装置本体２からデータを受信する。
【００２１】
図３は、正常な状態の指先血管画像の一例を示している。図３（１）及び（２）に示されるように、正常な状態の血管内皮細胞（９ａ，９ｂ）の場合、横方向に走る乳頭下血管叢、体液の濁り及び長手方向に走る血管の先端部の曲がりは、ほとんど見られない。
【００２２】
図４は、実施例１において指先血管観測装置により撮影された画像を示し、画像中に指の長手方向（縦方向）を横切る横方向に走る乳頭下血管叢が有る場合を示している。コンピュータ６に送られた画像は、指の長手方向（縦方向）を横切る横方向に走る乳頭下血管叢の有無について判別がなされる。判別に当たっては、乳頭下血管叢の有無だけではなく、乳頭下血管叢の血流が見えているか、乳頭下血管叢が上の方にあるか、乳頭下血管叢の太さ、色合い、本数は何本か（３本以下，４〜７本，８本以上の別）、といった要素についても判別がなされる。判別結果は、データベースと照合されて、健康状態の評価がなされる。
【００２３】
図４（１）〜（４）に示されるように、撮影画像中には何れも乳頭下血管叢（１０ａ，１０ｂ，１０ｃ，１０ｄ）が存在する。図４（１）では、乳頭下血管叢の血流が見え辛く、乳頭下血管叢が上の方には無いと判別される。乳頭下血管叢の太さについては細く、色合いは黒く（但し、色合いは図示していない。以下、同様である。）、本数は８本以上と判別される。図４（２）では、乳頭下血管叢の血流が見え易く、乳頭下血管叢が上の方には無いと判別される。乳頭下血管叢の太さについては太く、色合いは赤く、本数は３本以下と判別される。図４（３）では、乳頭下血管叢の血流が見え辛く、乳頭下血管叢が上の方には有ると判別される。乳頭下血管叢の太さについては太く、色合いは赤く、本数は４〜７本と判別される。図４（４）では、乳頭下血管叢の血流が見え易く、乳頭下血管叢が上の方には有ると判別される。乳頭下血管叢の太さについては太く、色合いは赤黒く、本数は４〜７本と判別される。
以上の如く、判別は、撮影された画像を目視にて観察し横方向に走る乳頭下血管叢の有無を判別してもよいし、或は、撮影された画像をコンピュータで画像処理を行って自動で横方向に走る乳頭下血管叢の有無を判別してもよい。
【００２４】
図５は、実施例１において指先血管観測装置により撮影された画像を示し、画像中に体液の濁りが有る場合を示している。コンピュータ６に送られた画像は、体液の濁り度合いについて判定がなされる。判定に当たっては、濁り度合いの強さだけではなく、鱗状の濁りの有無といった要素についても判定がなされる。判定結果は、データベースと照合されて、健康状態の評価がなされる。
【００２５】
図５（１）〜（３）に示されるように、撮影画像中には何れも体液の濁り（１１ａ，１１ｂ，１１ｃ）が存在する。図５（１）では、濁り度合いはやや弱く、鱗状の濁りは無いと判定される。図５（２）では、濁り度合いは強く、鱗状の濁りは無いと判定される。図５（３）では、濁り度合いは弱く、鱗状の濁りが有ると判定される。
なお、判定は、撮影された画像を目視にて観察し体液の濁り度合いを判定してもよいし、或は、撮影された画像をコンピュータで画像処理を行って自動で体液の濁り度合いを判定してもよい。
【００２６】
図６は、実施例１において指先血管観測装置により撮影された画像を示し、画像中に指の長手方向に走る血管の先端部に曲がりが有る場合を示している。
コンピュータ６に送られた画像は、指の長手方向に走る血管の先端部の曲がり度合いについて判定がなされる。判定に当たっては、曲がり度合いだけではなく、曲がりのある血管内皮細胞の本数の割合、血管内皮細胞の先端の太さ、先端のみの細かい捩れといった要素についても判定がなされる。判定結果は、データベースと照合されて、健康状態の評価がなされる。
【００２７】
図６（１）〜（３）に示されるように、撮影画像中の血管内皮細胞には何れも指の長手方向に走る血管の先端部に曲がり（１２ａ，１２ｂ，１２ｃ）が存在する。図６（１）では、曲がり度合いがやや強く、曲がりのある血管内皮細胞の本数の割合は高いと判定される。血管内皮細胞の先端の太さはやや太く、先端のみの細かい捩れは存在しないと判定される。図６（２）では、曲がり度合いがやや強く、曲がりのある血管内皮細胞の本数の割合は低いと判定される。血管内皮細胞の先端の太さはやや細く、先端のみの細かい捩れはほとんど存在しないと判定される。図６（３）では、曲がり度合いがやや強く、曲がりのある血管内皮細胞の本数の割合は高いと判定される。血管内皮細胞の先端の太さは太く、先端のみの細かい捩れは存在すると判定される。
なお、判定は、撮影された画像を目視にて観察し指の長手方向に走る血管の先端部の曲がり度合いを判定してもよいし、或は、撮影された画像をコンピュータで画像処理を行って自動で指の長手方向に走る血管の先端部の曲がり度合いを判定してもよい。
【実施例２】
【００２８】
実施例２では、観測クライアントと観測サーバがネットワークで接続された指先血管観測システムが行う処理について説明する。
図７は、実施例２の指先血管観測システムのシステム構成図を示している。指先血管観察装置本体２と観測クライアント１０２ａ（ＰＣ１）及観測クライアント１０２ｂ（ＰＣ２）が、それぞれ接続されている。ＰＣ１及びＰＣ２は、観測サーバ１００とネットワーク１０３を介して接続されている。観測クライアントによって撮影された毛細血管画像は、指先血管観察装置本体２からそれぞれ観測クライアント（ＰＣ１、或は、ＰＣ２）にデータ接続ケーブルを介してデータ伝送され、そしてネットワーク１０３を介して観測サーバ１００に送られる。観測サーバ１００には、データベース１０１が保存されている。
【００２９】
データベース１０１に保存されている内容は、健康状態の経時的な変化を捉えるために、個人情報に関連して経時的に保存される毛細血管のパターンである。具体的には、血管に濁りがある場合、主な原因として、新陳代謝が悪いことが推察されるということや、横方向の血管がある場合、主な原因として、ストレスが推察されるということや、捩れがある場合、主な原因として、生活習慣が悪い、食生活が悪い、動脈圧縮などが考えられることや、血管が太い場合、食生活が悪いことが推察されることや、血管に歪みが有る場合、血清血中コレステロールが高い、食生活が悪い、肝機能低下が推察されるなど、毛細血管の状態と健康状態の関連付けられた事項であり、テキスト情報などで保存されている。
【００３０】
図１１は、実施例２の観測クライアントと観測サーバのハードウェア構成図を示している。
図１１に示すように、観測クライアント１０２ａは、ＣＰＵ１０４、メモリ１０５、ハードディスク１０６、キーボード１０７、ネットワークＩ／Ｆ１０９、マウス１１１、ディスプレイ１１０、光学式ドライブ１１２及びデータ通信部１０８を有し、装置本体２は、データ通信部２０及びカメラ５を有している。また、観測サーバ１００は、ＣＰＵ１１４、メモリ１１５、ハードディスク１１６、キーボード１１７、ネットワークＩ／Ｆ１１９、マウス１２１及びディスプレイ１２０を有している。ＣＰＵ１０４は、ハードディスク１０６に記録されているオペレーティング・システム（ＯＳ）、クライアントプログラム等その他のアプリケーションに基づいた処理を行う。メモリ１０５は、ＣＰＵ１０４に対して作業領域を提供する。ハードディスク１０６は、オペレーティング・システム（ＯＳ）、クライアントプログラム等その他のアプリケーションを記録保持する。キーボード１０７、マウス１１１は、外部からの命令を受け付ける。ディスプレイ１１０は、ユーザーインタフェース等の画像を表示する。光学式ドライブ１１２は、データ通信クライアントプログラムが記録されている光学式メディア１１３からアプリケーション処理プログラムを読み取り、また、他の光学式メディアからその他のアプリケーションのプログラムを読み取る等、光学式メディアからのデータの読み取りを行う。装置本体２は、データ通信部２０及びカメラ５を有しており、カメラ５において取得されたデータは、データ通信部２０により、データ通信ケーブル７を介して観測クライアント１０２ａへと送信される。データ通信部１０８は、データ通信ケーブル７を介して、装置本体２からデータを受信する。ネットワークＩ／Ｆ１０９は、ネットワーク１０３に接続する通信回路を有しており、外部の通信機器とデータの送受信を行う。
【００３１】
一方、観測サーバ１００は、ハードディスク１１６に記録されているオペレーティング・システム（ＯＳ）、クライアントプログラム等その他のアプリケーションに基づいた処理を行う。メモリ１１５は、ＣＰＵ１１４に対して作業領域を提供する。ハードディスク１１６は、オペレーティング・システム（ＯＳ）、クライアントプログラム等その他のアプリケーションを記録保持する。キーボード１１７、マウス１２１は、外部からの命令を受け付ける。ディスプレイ１２０は、ユーザーインタフェース等の画像を表示する。ネットワークＩ／Ｆ１１９は、ネットワーク１０３に接続する通信回路を有しており、外部の通信機器とデータの送受信を行う。  
【００３２】
図８は、実施例２のシステムフロー図を示している。撮影された毛細血管画像は装置本体２からＰＣ１へと送られ、ＰＣ１は毛細血管画像を取得する（Ｓ１０１）。ＰＣ１から観測サーバ１００へデータが送信され（Ｓ１０２）、観測サーバはデータを受信する（Ｓ１０３）。データを受信した観測サーバ１００は、指の長手方向（縦方向）を横切る横方向に走る乳頭下血管叢の有無を判別する（Ｓ１０４）。次に、体液の濁り度合いを判定する（Ｓ１０５）。さらに、指の長手方向に走る血管の先端部の曲がり度合いを判定する（Ｓ１０６）。観測サーバ１００に保存されたデータベースとの照合がなされる（Ｓ１０７）。計測されたデータについて観測サーバ１００に保存されたデータベースとの照合結果を元に健康状態の判別がなされ（Ｓ１０８）、観測サーバ１００からＰＣ１へとデータが送信される（Ｓ１０９）。ＰＣ１は観測サーバ１００から送られるデータを受信し（Ｓ１１０）、受信した判別結果がＰＣ１の画面上に表示される（Ｓ１１１）。
【００３３】
図９は、実施例２の観測サーバの機能ブロック図を示している。観測サーバ１００は、観測クライアントから毛細血管画像を取得する画像取得手段２０１、取得した毛細血管画像における指の長手方向（縦方向）を横切る横方向に走る乳頭下血管叢の有無について判別する乳頭下血管叢の有無判別手段２０２、毛細血管画像における体液の濁り度合いを判定する濁り度合い判定手段２０３、有無判別手段の判別結果と濁り度合い判定手段の判定結果に基づいて健康状態を評価する健康状態評価手段２０４、評価手段の評価結果を指定された端末に送信するデータ送信手段２０５を備えている。
【００３４】
画像取得手段２０１において取得された画像は、乳頭下血管叢の有無判別手段２０２による判別のみで健康状態評価手段２０４へと移行する場合だけではなく、乳頭下血管叢の有無判別手段２０２による判別を行った後に、濁り度合い判定手段２０３による判定を行った上で、健康状態評価手段２０４へと移行する場合、さらには、濁り度合い判定手段２０３による判定のみを行い、健康状態評価手段２０４へと移行する場合も存在する。
健康状態評価手段２０４において健康状態が評価されるとデータ送信手段２０５により指定された観測クライアントへデータが送信される。
【産業上の利用可能性】
【００３５】
本発明は、指先血管画像を用いた健康管理の判別装置として有用である。
【符号の説明】
【００３６】
１  指先血管観測装置
２  装置本体
３，９ａ，９ｂ  血管内皮細胞
４  左手薬指
５  カメラ部
６  コンピュータ
７  データ通信ケーブル
８  爪上皮
１０ａ，１０ｂ，１０ｃ，１０ｄ  乳頭下血管叢
１１ａ，１１ｂ，１１ｃ  濁り
１２ａ，１２ｂ，１２ｃ  曲がり
２０，２８  １０８データ通信部
２１，１１１，１２１  マウス
２２，１１２  光学式ドライブ
２３，１１３  光学式メディア
２４，１０４，１１４  ＣＰＵ
２５，１０５，１１５  メモリ
２６，１０６，１１６  ハードディスク
２７，１０７，１１７  キーボード
２９，１１０，１２０  ディスプレイ  １００  観測サーバ
１０１  データベース
１０２ａ，１０２ｂ  観測クライアント
１０３  ネットワーク
１０９，１１９  ネットワークＩ／Ｆ
２０１  画像取得手段
２０２  乳頭下血管層の有無判別手段
２０３  濁り度合い判定手段
２０４  健康状態評価手段
２０５  データ送信手段
【図１】
2017038889.tif 000003
【図２】
2017038889.tif 000004
【図３】
2017038889.tif 000005
【図４】
2017038889.tif 000006
【図５】
2017038889.tif 000007
【図６】
2017038889.tif 000008
【図７】
2017038889.tif 000009
【図８】
2017038889.tif 000010
【図９】
2017038889.tif 000011
【図１０】
2017038889.tif 000012
【図１１】
2017038889.tif 000013
【図１２】
2017038889.tif 000014